(57)【要約】【課題】      デジタル機器のNum Lockモードと通常モードとの切り換えを可能とすることで、デジタル機器とキーパッドの入力を個別に行うことを可能とし、これを相互に妨げず、且つキーパッドのデザイン性を向上させると共に、従来のキーパッドの使用上の課題を解決できる、Num Lockモード切換方法を提供する。【解決手段】  本発明のNum Lockモード切換方法は、デジタル機器のNum LockモードとキーパッドのNum Lockモードの相違を検出するステップと、前記モードの相違状態において、先ず、キーパッドがNum Lockコードおよび押されたキーのキーコードを合わせたコンビネーションコードを含むデータをデジタル機器に出力し、次に、Num Lockコードを含むデータをデジタル機器に出力するステップと、を有する。【選択図】    図２
2004252945.tif 000002
【特許請求の範囲】
【請求項１】
デジタル機器のNum LockモードとキーパッドのNum Lockモードの相違を検出するステップと、
前記モードの相違状態において、先ず、キーパッドがNum Lockコードおよび押されたキーのキーコードを合わせたコンビネーションコードを含むデータをデジタル機器に出力し、次に、Num Lockコードを含むデータをデジタル機器に出力するステップと、を有することを特徴とする、
Num Lockモード切換方法。
【請求項２】
請求項１に記載のNum Lockモード切換方法において、前記デジタル機器が、コンピュータであることを特徴とする、Num Lockモード切換方法。
【請求項３】
請求項１に記載のNum Lockモード切換方法において、前記コンビネーションコードを含むデータの大きさ（length）が８バイトであることを特徴とする、Num Lockモード切換方法。
【請求項４】
請求項１に記載のNum Lockモード切換方法において、前記Num Lockコードを含むデータの大きさ（length）が８バイトであることを特徴とする、Num Lockモード切換方法。
【請求項５】
請求項１に記載のNum Lockモード切換方法において、前記デジタル機器とキーパッドのNum Lockモードが一致した場合、前記キーパッドが、押されたキーのキーコードを含むデータをデジタル機器に出力することを特徴とする、Num Lockモード切換方法。
【請求項６】
デジタル機器のNum Lockモードがオフで、キーパッドのNum Lockモードがオンである第一状態を検出するステップと、
前記デジタル機器のNum Lockモードがオンで、キーパッドのNum Lockモードがオフである第二状態を検出するステップと、
前記第一状態および第二状態において、先ず、キーパッドがNum Lockコードおよび押されたキーのキーコードを合わせたコンビネーションコードを含むデータをデジタル機器に出力し、次に、Num Lockコードを含むデータをデジタル機器に出力するステップと、を有することを特徴とする、
Num Lockモード切換方法。
【請求項７】
請求項６に記載のNum Lockモード切換方法において、前記デジタル機器が、コンピュータであることを特徴とする、Num Lockモード切換方法。
【請求項８】
請求項６に記載のNum Lockモード切換方法において、前記コンビネーションコードを含むデータの大きさ（length）が８バイトであることを特徴とする、Num Lockモード切換方法。
【請求項９】
請求項１に記載のNum Lockモード切換方法において、前記Num Lockコードを含むデータの大きさ（length）が８バイトであることを特徴とする、Num Lockモード切換方法。
【請求項１０】
請求項６に記載のNum Lockモード切換方法において、前記デジタル機器とキーパッドのNum Lockモードが一致した場合、前記キーパッドが、押されたキーのキーコードを含むデータをデジタル機器に出力することを特徴とする、Num Lockモード切換方法。
【請求項１１】
請求項１０は、前記デジタル機器とキーパッドのNum Lockモードが共にオフで一致した場合、前記キーパッドにあるいずれかのキーが押されると、前記キーパッドが押されたキーのキーコードを含むデータをデジタル機器に出力することを特徴とする、Num Lockモード切換方法。
【発明の詳細な説明】
【技術分野】
【０００１】
本発明は、キーパッドを外部接続されたデジタル機器のNum Lockモード切換方法に関する。本発明によれば、デジタル機器を一時的にNum Lockモードに切り換えたり、また通常モードに戻したりでき、キーパッドとデジタル機器との入力作業を完全に独立させ、互いに妨げとなることがない。
【背景技術】
【０００２】
キーパッドは、数字や、数学処理信号や、ファンクション入力に用いられる入力装置であり、会計や財務業務に関係する人々にとって非常に便利な道具である。
【発明の開示】
【発明が解決しようとする課題】
【０００３】
従来のキーパッドには、使用に際するいくつかの問題があり、特にノートブックコンピュータに外部接続するキーパッドにおいて問題となっている。ノートブックコンピュータのキーボードにあるキー（例えば、U、Jなど）は、Num Lockキーで文字入力モードと英数入力モードを切り換えることができる。ノートブックコンピュータに接続される外部キーパッドのNum Lockモードが個別に切り換えられるものであるが、ノートブックコンピュータのキーボードとは同調しない。したがって、両者のNum Lockモードが相違する可能性が生じる。しかしながら、ノートブックコンピュータのNum Lockモードによって最終入力結果が決定されるので、外部キーパッドにあるキーによる入力は外部キーパッドとノートブックコンピュータのNum Lockモードにより決定される。ここで問題となるのは、使用者がキーパッドで数字を入力しようとする際、外部キーパッドとノートブックコンピュータのNum Lockモードを両方オンにしなければならないが、この際にノートブックコンピュータのNum Lockモードがオンである場合、キーボードにあるU、Jなどのキーが数字キーとなっているので、ノートブックコンピュータのキーボードでU、Jなどの英文字を入力することができない。このことより、数字キーの利便性が低下する。
【課題を解決するための手段】
【０００４】
本発明の目的は、デジタル機器とキーパッドのNum Lockモードが異なる場合、キーパッドにあるいずれかのキーが押された後に、先ず、キーパッドがNum Lockコードおよび押されたキーコードを合わせたコンビネーションコードを含むデータを出力し、次に、Num Lockコードを含むデータをデジタル機器に出力することで、一時的にデジタル機器のNum Lockモードと通常モードとの切り換えを可能とすることで、デジタル機器とキーパッドの入力は、個別に行うことができて相互に妨げることがなく、上記キーパッドのデザイン性を向上させると共に、キーパッドが外部接続されたデジタル機器のNum Lockモード切換方法を提供することで、従来のキーパッドの使用上の課題を解決することにある。
【０００５】
上記目的を達成するために、本発明は、デジタル機器のNum LockモードとキーパッドのNum Lockモードの相違を検出するステップと、前記モードの相違状態において、先ず、キーパッドがNum Lockコードおよび押されたキーのキーコードを合わせたコンビネーションコードを含むデータをデジタル機器に出力し、次に、Num Lockコードを含むデータをデジタル機器に出力するステップと、を有することを特徴とする、Num Lockモード切換方法を提供する。
【０００６】
また本発明は、前述したNum Lockモード切換方法において、前記デジタル機器が、コンピュータであることを特徴とする、Num Lockモード切換方法を提供する。
【０００７】
また本発明は、前述したNum Lockモード切換方法において、前記コンピュータが、ノートブックコンピュータであることを特徴とする、Num Lockモード切換方法を提供する。
【０００８】
また本発明は、前述したNum Lockモード切換方法において、前記コンピュータが、デスクトップコンピュータ（desktop PC）であることを特徴とする、Num Lockモード切換方法を提供する。
【０００９】
また本発明は、前述したNum Lockモード切換方法において、前記コンピュータが、タブレットコンピュータ（tablet PC）であることを特徴とする、Num Lockモード切換方法を提供する。
【００１０】
また本発明は、前述したNum Lockモード切換方法において、前記デジタル機器が、ゲーム機（game console）であることを特徴とする、Num Lockモード切換方法を提供する。
【００１１】
また本発明は、前述したNum Lockモード切換方法において、前記コンビネーションコードを含むデータの大きさ（length）が８バイトであることを特徴とする、Num Lockモード切換方法を提供する。
【００１２】
また本発明は、前述したNum Lockモード切換方法において、前記Num Lockコードを含むデータの大きさ（length）が８バイトであることを特徴とする、Num Lockモード切換方法を提供する。
【００１３】
また本発明は、前述したNum Lockモード切換方法において、前記デジタル機器とキーパッドのNum Lockモードが一致した場合、前記キーパッドが、押されたキーのキーコードを含むデータをデジタル機器に出力することを特徴とする、Num Lockモード切換方法を提供する。
【００１４】
また本発明は、前述したNum Lockモード切換方法において、前記押されたキーのキーコードを含むデータの大きさ（length）が８バイトであることを特徴とする、Num Lockモード切換方法を提供する。
【００１５】
本発明は、デジタル機器のNum Lockモードがオフで、キーパッドのNum Lockモードがオンである第一状態を検出し、前記デジタル機器のNum Lockモードがオンで、キーパッドのNum Lockモードがオフである第二状態を検出し、前記第一状態および第二状態において、先ず、キーパッドがNum Lockコードおよび押されたキーのキーコードを合わせたコンビネーションコードを含むデータをデジタル機器に出力し、次に、Num Lockコードを含むデータをデジタル機器に出力するステップと、を有することを特徴とする、Num Lockモード切換方法を提供する。
【００１６】
また本発明は、前述したNum Lockモード切換方法において、前記デジタル機器とキーパッドのNum Lockモードが一致した場合、前記キーパッドが、押されたキーのキーコードを含むデータをデジタル機器に出力することを特徴とする、Num Lockモード切換方法を提供する。
【発明の効果】
【００１７】
本発明は、キーパッドを外部接続したノートブックコンピュータに適用できるほか、デスクトップコンピュータ、タブレットPC、ゲーム機などのデジタル機器にもNum Lockモード切換方法を提供できる。
【００１８】
本発明は、従来技術の抱える課題の解決策を提供するものであり、一時的に切り換えたNum Lockモードを、押されたキーコード（pressed key code）がデジタル機器からキーパッドへ送信された後に、通常モードに戻すことを可能とすることで、デジタル機器とキーパッドの入力を個別に行うことができ、相互に妨げとなることがなくなる。また、従来技術より進歩した技術は次の通りである。デジタル機器とキーパッドのNum Lockモードが異なる場合であって、キーパッドにあるいずれかのキーが押された後に、先ず、キーパッドがNum Lockのコードおよび押されたキーのコードを合わせたコンビネーションデータを含むデータをデジタル機器に出力し、次に、Num Lockコードを含むデータをデジタル機器に出力する。これにより、Num Lockコードと押されたキーコードとがデジタル機器に同時に受信される。即ち、本発明は、８バイトのコンビネーションコードにNum Lockコードと押されたキーコードが含まれるため、従来技術において８バイトのデータを２度に亘って出力する必要があった作業を、１度に達成することができる。
【発明を実施するための最良の形態】
【００１９】
以下、添付図面を参照して本発明の最良の実施形態を詳細に説明する。
【００２０】
図１は、本発明に係るNum Lockモード切換方法の最良の実施形態を示す機能説明図である。図１に示すように、USBインターフェイスを介してキーパッド１１が増設されたデジタル機器は、内蔵キーボード１２１を備えるノートブックコンピュータ１２である。
【００２１】
図２は、本発明に係るNum Lockモード切換方法の最良の実施形態を示すフローチャートである。図２に示す通り、本発明には以下のステップが含まれる。
【００２２】
２１：  キーパッド１１のNum Lockモードを切り換えるステップ。（オンからオフへの切り換え、或いはオフからオンへの切り換え。）
【００２３】
２２：  キーパッド１１にあるキーを押すステップ。
【００２４】
２３：  キーパッド１１とノートブックコンピュータ１２のNum Lockモードが一致するかどうかを検出するステップ。検出は、読み取ったノートブックコンピュータ１２のNum Lockモードと、キーパッド１１のNum Lockモードとを比較することにより行なうことができる。
【００２５】
２４：  キーパッド１１とノートブックコンピュータ１２のNum Lockモードが一致する場合、即ち、キーパッド１１とノートブックコンピュータ１２のNum Lockモードが双方共にオン或いはオフである場合、キーパッド１１が押されたキーコード（pressed key code）を含む８バイトのデータを、直接、ノートブックコンピュータ１２に出力する。出力されたデータのフォーマットは、図３−Ａに示す。
【００２６】
２５：  キーパッド１１とノートブックコンピュータ１２のNum Lockモードが一致しない場合、即ち、キーパッド１１のNum Lockモードがオンでありノートブックコンピュータ１２のNum Lockモードがオフである場合、或いはキーパッド１１のNum Lockモードがオフでありノートブックコンピュータ１２のNum Lockモードがオンである場合、キーパッド１１が押されたキーコード（pressed key code）とNum Lockコードを合わせたコンビネーションコードを含んだ８バイトのデータを、先ず、ノートブックコンピュータに出力する。この出力されたデータフォーマットは、図３−Ｂに示す。このステップ２５の目的は、キーパッドのNum Lockモードと同様となるようにノートブックコンピュータ１２のNum Lockモードを切り換えることで、ノートブックコンピュータ１２が、押されたキーコード（pressed key code）をキーパッド１１より正しく受けることを確保することにある。これにより、ノートブックコンピュータ１２は、Num Lockコードと押されたキーコードを同時に受けられる本発明は、同じ過程時に８バイトのデータを２回出力する必要がある従来の技術より価値が高い。
【００２７】
２６：  キーパッド１１がコンビネーションコードを出力した後、ノートブックコンピュータ１２のオリジナルNum Lockモードを回復させるために、キーパッド１１はノートブックコンピュータ１２にNum Lockコードを含むデータを出力する。出力されたデータのフォーマットは、図３−Ａに示す。
【００２８】
なお、以上説明したのは、本発明の最良の実施形態であって、本発明の特許請求の範囲に記載された各請求項を限定するものではない。よって、当業者のなし得るあらゆる変更、修正であって、本発明に対して同等の効果を有するものは、いずれも本発明の特許請求の範囲に属するものである。
【図面の簡単な説明】
【００２９】
【図１】本発明に係るNum Lockモード切換方法の最良の実施形態を示す機能説明図である。
【図２】本発明に係るNum Lockモード切換方法の最良の実施形態を示すフローチャートである。
【図３−Ａ】標準的なＵＳＢデータのフォーマットの説明図である。
【図３−Ｂ】押されたキーコードおよびNum Lockコードを含むコンビネーションコードの説明図である。
【符号の説明】
【００３０】
１１      キーパッド
１２      ノートブックコンピュータ
１２１    キーボード
【図１】
2004252945.tif 000003
【図２】
2004252945.tif 000004
【図３−Ａ】
2004252945.tif 000005
【図３−Ｂ】
2004252945.tif 000006